(57)【要約】【課題】短時間で製作することができると共に、重厚さを備え、各故人に対応した家紋や社章などの紋様を付した人間用やペット用の棺を提供する。【解決手段】紋様付き棺１は、上端開口部を有する棺本体２と、家紋や社章などの所定の紋様Ｄがレーザー加工により表面に直接刻設され、棺本体２の上端開口部を塞ぐ蓋体３とからなる。または、棺本体２の表面にのみレーザー加工により紋様Ｄが直接刻設されてなる。もしくは、棺本体２と蓋体３の両方の表面にレーザー加工により紋様Ｄが直接刻設されてなる。【選択図】図１
0003151550.tif 000002
【実用新案登録請求の範囲】
【請求項１】
上端開口部を有する棺本体と、
家紋や社章などの所定の紋様が機械的に表面に直接刻設され、前記棺本体の上端開口部を塞ぐ蓋体とからなることを特徴とする紋様付き棺。
【請求項２】
前記蓋体は、前記紋様がレーザー加工により表面に直接刻設されてなることを特徴とする請求項１に記載の紋様付き棺。
【請求項３】
家紋や社章などの所定の紋様が機械的に表面に直接刻設され、上端開口部を有する棺本体と、
前記棺本体の上端開口部を塞ぐ蓋体とからなることを特徴とする紋様付き棺。
【請求項４】
前記棺本体は、前記紋様がレーザー加工により表面に直接刻設されてなることを特徴とする請求項３に記載の紋様付き棺。
【考案の詳細な説明】
【技術分野】
【０００１】
本考案は、人間用またはペット用に使用され、家紋や社章など各種の紋様を付した棺に関するものである。
【背景技術】
【０００２】
葬儀に使用される棺は、一般に、その故人を収納する棺本体と、その棺本体の上端開口部を塞ぐ蓋体とで構成される。こうした棺は、予め大量に生産されるものであり、各故人用に製造されるわけではない。従って、全ての故人が実質的に同じような棺に収納され、また、同じような葬儀を経て荼毘に付されている。
【０００３】
こうした実情に鑑み、近年では、故人との最後の別れにふさわしい荘厳で華やかな特徴ある葬儀とすべく、棺の表面に、各種の模様や文字等を印刷したシールを貼着する手段が開示されている（例えば、特許文献１参照）。
【先行技術文献】
【特許文献】
【０００４】
【特許文献１】特開２００５−１０２８００号公報
【考案の概要】
【考案が解決しようとする課題】
【０００５】
しかしながら、棺の表面に模様等を印刷したシールを貼着すると、表面的には華やかさを演出することができるものの重厚さに欠ける。
従って、荘厳さと豪華さを備えた葬儀を演出することはできない。
【０００６】
本考案者らは、故人を尊ぶために、棺に家紋や社章あるいは模様などの紋様を付して重厚さを現出することを創案したが、これら家紋等をシールに印刷し、そのシールを棺に貼着したのでは重厚さに欠け、葬儀に荘厳さや豪華さを持たせることはできない。
【０００７】
一方、棺の表面に家紋等を直接手彫りで刻設することによって重厚さを与え、葬儀に荘厳さと豪華さを持たせることが考えられる。しかし、棺の手配は死後に開始することが一般的であり、しかも葬儀までの短時間のうちに棺を斎場等に納入しなければならない。このような限られた時間内で、個別に手彫りによって家紋等を刻設することは容易ではない。なお、近年ではペットも人間と同じように棺に納めて葬儀を行うことが多く、その場合も人間の場合と同様のことが言える。
【０００８】
そこで、本考案の目的とするところは、短時間で製作することができると共に、重厚さを備え、各故人やペットに対応した家紋や社章などの紋様を付した棺を提供することにある。
【課題を解決するための手段】
【０００９】
上記の目的を達成するために、本考案の請求項１に記載の紋様付き棺（１）は、上端開口部を有する棺本体（２）と、家紋や社章などの所定の紋様（Ｄ）が機械的に表面に直接刻設され、前記棺本体（２）の上端開口部を塞ぐ蓋体（３）とからなることを特徴とする。
【００１０】
また、本考案の請求項２に記載の紋様付き棺（１）は、前記蓋体（３）は、前記紋様（Ｄ）がレーザー加工により表面に直接刻設されてなることを特徴とする。
【００１１】
また、請求項３に記載の紋様付き棺（１）は、家紋や社章などの所定の紋様（Ｄ）が機械的に表面に直接刻設され、上端開口部を有する棺本体（２）と、前記棺本体（２）の上端開口部を塞ぐ蓋体（３）とからなることを特徴とする。
【００１２】
また、請求項４に記載の紋様付き棺（１）は、前記棺本体（２）は、前記紋様（Ｄ）がレーザー加工により表面に直接刻設されてなることを特徴とする。
【００１３】
なお、上記請求項１乃至４に記載の「紋様」は、模様の他に画像を含む。従って、家紋や社章あるいは宗教等のシンボルマークの他に、例えば、ペットの写真を含む。
【００１４】
括弧内の記号は図面および後述する考案を実施するための形態に記載された対応要素または対応事項を示す。
【考案の効果】
【００１５】
本考案の請求項１に記載の紋様付き棺によれば、蓋体の表面に、家紋や社章などの所定の紋様を直接刻設したので、棺に重厚さを持たせることができる。
すなわち、直接刻設すると従来のシールとは異なり、所定の厚みを有するので立体的で重厚感に富む。その結果、葬儀を荘厳さと豪華さを備えたものとすることができる。
また、この刻設を機械的に行うので、各故人やペットに対応し個別に紋様を刻設する紋様付き棺であっても、死後短時間のうちに製作することができる。
【００１６】
また、本考案の請求項２に記載の紋様付き棺によれば、請求項１に記載の考案の作用効果に加え、蓋体は、紋様がレーザー加工により表面に直接刻設されてなるので、複雑な紋様を備えることが可能である。つまり、複雑な家紋や社章であっても蓋体の表面に、家紋等の細部まで正確に刻設できるので、紋様付き棺は一層重厚感に富む。しかも、レーザー加工は自動加工でしかも加工時間が短いので、このような紋様付き棺を短時間で製作することができる。
【００１７】
また、本考案の請求項３に記載の紋様付き棺によれば、棺本体の表面に、家紋や社章などの所定の紋様を直接刻設したので、棺に重厚さを持たせることができる。
すなわち、直接刻設すると従来のシールとは異なり、所定の厚みを有するので立体的で重厚感に富む。その結果、棺本体の表面に紋様を直接刻設した棺によって、葬儀を荘厳さと豪華さを備えたものとすることができる。
また、この刻設を機械的に行うので、各故人やペットに対応し個別に紋様を刻設する紋様付き棺であっても、死後短時間のうちに製作することができる。
【００１８】
また、本考案の請求項４に記載の紋様付き棺によれば、請求項３に記載の考案の作用効果に加え、棺本体は、紋様がレーザー加工により表面に直接刻設されてなるので、複雑な紋様を備えることが可能である。つまり、複雑な家紋や社章であっても棺本体の表面に、家紋等の細部まで正確に刻設できるので、紋様付き棺は一層重厚感に富む。しかも、レーザー加工は自動加工でしかも加工時間が短いので、このような紋様付き棺を短時間で製作することができる。
【図面の簡単な説明】
【００１９】
【図１】本考案の実施形態に係る紋様付き棺を示す斜視図である。
【図２】図１に示す紋様付き棺の要部平面図である。
【図３】その他の実施形態に係る紋様付き棺を示す要部平面図である。
【考案を実施するための形態】
【００２０】
図１および図２を参照して、本考案の実施形態に係る紋様付き棺１について説明する。図１は紋様付き棺１を示す斜視図である。また図２はその要部平面図である。
【００２１】
本考案の実施形態に係る紋様付き棺１は、故人を納めて葬儀に使用されるものであり、上端開口部を有する木製の棺本体２と、その上端開口部を塞ぐ同じく木製の蓋体３を備える。
【００２２】
そして、蓋体３の表面には、故人の家紋がレーザー加工により立体的に刻設されている。また、蓋体３には故人の顔を見ることができる開閉自在の窓部１０が設けられている。
【００２３】
ここで、この紋様付き棺１は、まず予め何も刻設されていない棺本体２及び蓋体３が大量生産されている。そして、葬儀の準備が開始され、葬儀業者から棺１の手配がなされて初めて家紋の刻設が行われる。誰がいつ亡くなるか予想できないので、それぞれの家紋を事前に刻設しておくことは大量の在庫を抱えることになるからである。
【００２４】
具体的な加工方法は、まず家紋のデータをレーザー加工機に入力する。
次に、下方に向いているレーザーの射出口の下方に設けられた台上に蓋体３を載置する。ここで一般に、被加工物が載置された台を前後左右に移動させることで被加工物を加工するフライス盤等とは異なり、レーザー加工機においては被加工物は静止したままで、レーザーの射出口を前後左右に移動させて加工する。したがって、蓋体３のような大型の被加工物であっても、加工中に蓋体３を動かすことがないので、レーザーの射出口の下方に蓋体３を載置するだけで容易に蓋体３に家紋を刻設することができる。
【００２５】
このように、本実施形態に係る紋様付き棺１は、蓋体３の表面に、家紋である紋様Ｄを直接刻設しているので、紋様付き棺１に重厚さを持たせることができる。
つまり、直接蓋体３に刻設すると従来のシールとは異なり、所定の厚みを有するので立体的で重厚感に富む。その結果、葬儀を荘厳で豪華なものに演出することができる。
【００２６】
また、蓋体３は、紋様Ｄがレーザー加工により表面に直接刻設されてなるので、複雑な紋様Ｄを備えることが可能である。つまり、複雑な家紋や社章であっても蓋体３の表面に、家紋等の細部まで正確に刻設できるので、紋様付き棺１は一層重厚感に富む。
しかも、レーザー加工は自動加工でしかも加工時間が短いので、故人個別に対応したこのような紋様付き棺１であっても短時間で製作することができる。
【００２７】
なお、本実施形態において、蓋体３の表面に紋様Ｄを刻設したとしたが、図１に二点鎖線で示すように、棺本体２の表面にのみ紋様Ｄが直接刻設されていてもよいし、蓋体３と棺本体２両方の表面に紋様Ｄが刻設されていてもよい。
ここで、蓋体３よりも重くまた厚みもある棺本体２であっても、蓋体３に刻設するときと同様に、レーザーの射出口の下方に刻設する面を上方に向けて台に載置するだけで紋様Ｄを刻設することが可能である。また、水平方向に向けてレーザーを出射するタイプのレーザー加工機を用いると、棺本体２のいずれの側面に紋様Ｄを刻設する場合であっても、棺本体２を寝かせたままで刻設できるので、より容易に紋様Ｄを刻設することができる。つまり、棺本体２を構成する各板体を個別に刻設した後でそれら板体を棺本体２として組み立てることを必要とせず、事前に大量生産された箱型の棺本体２に対して紋様Ｄを刻設できるので、紋様付き棺１を斎場等へ短時間で納入できる。もちろん、各板体に刻設した後で棺本体２を組み立ててもよい。
【００２８】
また、紋様Ｄは家紋に限られるものではなく、図３に示す十字架のような宗教的な紋様Ｄであってもよいし、社章や校章等であってもよい。それに加え、人間やペット、お気に入りの写真、絵画、画像を元にした紋様Ｄであってもよい。
【００２９】
また、本実施形態では、人間用の棺を例示したが、本考案はペット用の棺も含む。その場合、棺本体１および蓋体３の大きさや形状は、ペットに対応したものとする。
【００３０】
また、紋様Ｄの刻設は、木工フライス盤等のその他のＮＣ（数値制御）工作機械などを使用して行ってもよい。
【符号の説明】
【００３１】
１        紋様付き棺
２        棺本体
３        蓋体
１０        窓部
Ｄ        紋様
【図１】
0003151550.tif 000003
【図２】
0003151550.tif 000004
【図３】
0003151550.tif 000005